(57)【要約】      （修正有）【課題】キャリッジの走査幅が短いときには変位部材のばたつきが生じて正確な送液を行うことを防止できる液体を吐出する装置を提供する。【解決手段】液体を吐出する液体吐出ヘッドと、液体吐出ヘッドに液体を供給するヘッドタンクと、液体吐出ヘッド及びヘッドタンクを搭載し、主走査方向に往復移動可能なキャリッジと、ヘッドタンクに供給する液体を収容するメインタンクと、メインタンクからヘッドタンクに液体を送液する送液ポンプと、キャリッジの走査及び送液ポンプによる送液動作を制御する制御部と、を備え、制御部は、キャリッジの走査中にメインタンクからサヘッドタンクに送液するとき、少なくともヘッドタンクに送液している間は送液していないときよりもキャリッジの走査幅を広くする制御をする。【選択図】図１１
2017081020.tif 000002
【特許請求の範囲】
【請求項１】
液体を吐出する液体吐出ヘッドと、
前記液体吐出ヘッドに液体を供給するサブタンクと、
前記液体吐出ヘッド及び前記サブタンクを搭載し、主走査方向に往復移動可能なキャリッジと、
前記サブタンクに供給する前記液体を収容するメインタンクと、
前記メインタンクから前記サブタンクに前記液体を送液する送液手段と、
前記キャリッジの走査及び前記送液手段による送液動作を制御する手段と、を備え、
前記制御する手段は、
前記キャリッジの走査中に前記メインタンクから前記サブタンクに送液するとき、少なくとも前記サブタンクに送液している間は送液していないときよりも前記キャリッジの走査幅を広くする制御をする
ことを特徴とする液体を吐出する装置。
【請求項２】
前記サブタンクには液体残量に応じて変位する変位部材を有し、
前記キャリッジには前記変位部材を検知する第１検知手段が設けられ、
装置本体側には前記変位部材が所定の第２位置に変位したことを検知する第２検知手段が設けられ、
前記第１検知手段が前記変位部材を検知する位置を第１位置としたとき、前記第１位置は前記第２位置よりも液体残量が少ない位置であり、
前記制御する手段は、
前記第１位置と前記第２位置との差分を検出して保持し、
前記キャリッジの走査中に、前記変位部材が前記第１位置よりも液体残量が少ない側に変位した位置から送液を行い、前記第１検知手段が前記変位部材を検知したときから前記差分に相当する量の送液を行う制御をする
ことを特徴とする請求項１に記載の液体を吐出する装置。
【請求項３】
１又は複数の液体吐出ヘッドに対応して複数のサブタンクを備え、
前記制御する手段は、少なくとも一の前記サブタンクに対して送液を行うとき、前記変位部材が前記第１位置よりも液体残量が少ない側に変位している他の前記サブタンクに対しても送液を行う制御をする
ことを特徴とする請求項２に記載の液体を吐出する装置。
【請求項４】
前記キャリッジの走査領域の少なくとも一端部側に、前記液体吐出ヘッドの維持又は回復を行うために液体を吐出する空吐出動作で吐出される空吐出液を受ける手段が配置され、
前記制御する手段は、
前記液体吐出ヘッドを前記空吐出液を受ける手段に対向させて空吐出動作を行うときに、前記メインタンクから前記サブタンクに送液する制御をする
ことを特徴とする請求項１ないし３のいずれかに記載の液体を吐出する装置。
【請求項５】
前記液体吐出ヘッドから吐出される前記液体で画像が印刷される媒体を搬送する搬送手段と、
前記媒体に形成する画像のデータから印刷が完了するまでの時間を算出する手段と、を備え、
前記印刷が完了するまでの時間が、印刷完了後の排出処理に要する時間を超えるときには、前記サブタンクに送液するとき、送液していないときよりも前記キャリッジの走査幅を広くする制御をする
ことを特徴とする請求項１又は２に記載の液体を吐出する装置。
【請求項６】
前記印刷が完了するまでの時間が、前記排出処理に要する時間以下であるときには、前記サブタンクに送液するとき、送液していないときよりも前記キャリッジの走査幅を長くしない
ことを特徴とする請求項５に記載の液体を吐出する装置。
【請求項７】
前記排出処理に要する時間は、前記媒体の乾燥待ち時間である
ことを特徴とする請求項５又は６に記載の液体を吐出する装置。
【請求項８】
前記媒体を切断する切断手段を備え、
前記排出処理に要する時間は、前記切断手段による前記媒体の切断に要する時間である
ことを特徴とする請求項５又は６に記載の液体を吐出する装置。
【発明の詳細な説明】
【技術分野】
【０００１】
本発明は液体を吐出する装置に関する。
【背景技術】
【０００２】
液体吐出ヘッドと液体吐出ヘッドに供給する液体を収容するサブタンク（ヘッドタンクともいう。）をキャリッジに搭載したシリアル型の液体を吐出する装置として、キャリッジの走査中もサブタンクに対してメインタンクから送液できるようにしたものがある。
【０００３】
例えば、サブタンクに液体残量に応じて変位する変位部材（以下「フィラ」ともいう。）を有し、キャリッジには変位部材が所定の第１位置になったことを検知する第１センサを、装置本体側には変位部材が所定の第２位置になったことを検知する第２センサを設け、第１センサで検知される位置と第２センサで検知される位置との間の変位部材の変位量に対応する差分量を検出して保持しておき、キャリッジの走査中は、変位部材が所定の供給開始位置になったときから送液を開始し、第１センサが変位部材を検知した後、差分相当量の送液を行うようにしたものがある（特許文献１）
【先行技術文献】
【特許文献】
【０００４】
【特許文献１】特開２０１１−２９７２０６号公報
【発明の概要】
【発明が解決しようとする課題】
【０００５】
しかしながら、特許文献１に開示の構成にあっては、変位部材のばたつきがあるときには正確な検知が困難であることから、キャリッジの走査距離が短いとき、十分な送液を行うことが難しくなるという課題がある。
【０００６】
本発明は上記の課題に鑑みてなされたものであり、キャリッジ走査中に十分な送液を行うことができるようにすることを目的とする。
【課題を解決するための手段】
【０００７】
上記の課題を解決するため、本発明に係る液体を吐出する装置は、
液体を吐出する液体吐出ヘッドと、
前記液体吐出ヘッドに液体を供給するサブタンクと、
前記液体吐出ヘッド及び前記サブタンクを搭載し、主走査方向に往復移動可能なキャリッジと、
前記サブタンクに供給する前記液体を収容するメインタンクと、
前記メインタンクから前記サブタンクに前記液体を送液する送液手段と、
前記キャリッジの走査及び前記送液手段による送液動作を制御する手段と、を備え、
前記制御する手段は、
前記キャリッジの走査中に前記メインタンクから前記サブタンクに送液するとき、少なくとも前記サブタンクに送液している間は送液していないときよりも前記キャリッジの走査幅を広くする制御をする
構成とした。
【発明の効果】
【０００８】
本発明によれば、キャリッジ走査中に十分な送液を行うことができる。
【図面の簡単な説明】
【０００９】
【図１】本発明の第１実施形態における液体を吐出する装置の一例の機構部の平面説明図である。
【図２】同じく要部側面説明図である。
【図３】同じくヘッド構成の一例の説明に供する平面説明図である。
【図４】ヘッドタンクの一例の模式的上面説明図である。
【図５】同じく模式的正面説明図である。
【図６】同装置における液体供給排出系の模式的説明図である。
【図７】同装置の制御部のブロック説明図である。
【図８】走査中の送液動作を行うための差分供給量の検出動作の第１例の説明に供する平面説明図である。
【図９】走査中の送液動作を行うための差分供給量の検出動作の第２例の説明に供する変位部材の各位置の説明図である。
【図１０】制御部による差分供給量の算出（検出）処理の一例の説明に供するフロー図である。
【図１１】印刷動作中の送液制御（印字中充填処理）の説明に供するフロー図である。
【図１２】キャリッジ３の走査幅の変更の説明に供する平面説明図である。
【図１３】同じく正面説明図である。
【図１４】同じく具体的な走査幅の変更過程の一例の説明図である。
【図１５】本発明の第２実施形態における印刷動作中の送液制御（印字中充填制御）の説明に供するフロー図である。
【図１６】本発明の第３実施形態における印刷動作中の送液制御（印字中充填制御）の説明に供するフロー図である。
【図１７】本発明の第４実施形態における液体を吐出する装置の外観斜視説明図である。
【図１８】同じく側面模式的説明図である。
【図１９】同実施形態における送液制御の説明に供するフロー図である。
【図２０】本発明の第５実施形態における送液制御の説明に供するフロー図である。
【発明を実施するための形態】
【００１０】
以下、本発明の実施の形態について添付図面を参照して説明する。本発明の第１実施形態における液体を吐出する装置の一例について図１ないし図３を参照して説明する。図１は同装置の機構部の平面説明図、図２は同じく要部側面説明図、図３は同じくヘッド構成の説明に供する平面説明図である。なお、図３はヘッドを上方から透過した状態で示している。
【００１１】
この装置は、シリアル型装置である。左右の側板１０Ａ、１０Ｂに架け渡されるガイド部材１などのガイド部材でキャリッジ３を主走査方向に往復移動可能に保持している。そして、キャリッジ３は、主走査モータ５によって、駆動プーリ６と従動プーリ７間に架け渡したタイミングベルト８を介して主走査方向に往復移動する。
【００１２】
このキャリッジ３には、２つの液体吐出ユニット４を搭載している。液体吐出ユニット４は、液体吐出ヘッド３４とサブタンクであるヘッドタンク３５を一体化して構成している。
【００１３】
ここで、液体吐出手段である液体吐出ヘッド３４は、図３に示すように、ノズル面３４ａに、複数のノズル３４ｎを配列した２つのノズル列Ｎａ、Ｎｂを有している。そして、例えば、一方の液体吐出ヘッド３４は、一方のノズル列Ｎａからブラック（Ｋ）の液滴を、他方のノズル列Ｎｂからイエロー（Ｙ）の液滴を吐出するように割り当てられている。他方の液体吐出ヘッド３４は、一方のノズル列Ｎａからシアン（Ｃ）の液滴を、他方のノズル列Ｎｂからマゼンタ（Ｍ）の液滴を吐出するように割当てられている。
【００１４】
なお、液体吐出ヘッド３４としては、例えば、圧電素子などの圧電アクチュエータ、発熱抵抗体などの電気熱変換素子を用いて液体の膜沸騰による相変化を利用するサーマルアクチュエータを用いることができる。
【００１５】
ヘッドタンク３５は、それぞれ各液体吐出ヘッド３４の２つのノズル列Ｎａ、Ｎｂに対応して、各色の液体を収容する２つのタンク部を対にした複数のタンク部を備える構成である。なお、２つのノズル列Ｎａ、Ｎｂ、あるいは、複数の液体吐出ヘッドが同じ色を吐出する場合でも１つの液体吐出ヘッドについて複数のタンク部又は複数のヘッドタンク３５を備える構成とすることもできる。
【００１６】
そして、装置本体側には、各色の液体を収容したメインタンク５０（５０ｙ、５０ｍ、５０ｃ、５０ｋ）が交換可能に装着されるカートリッジホルダ５１が配置されている。このカートリッジホルダ５１には送液ポンプ部５２が設けられ、メインタンク５０から送液ポンプ部５２によって各色の供給チューブ（液体供給経路ともいう。）５６を介して各ヘッドタンク３５に各色の液体が供給される。
【００１７】
一方、用紙Ｐを搬送するために、用紙Ｐを静電吸着して液体吐出ヘッド３４に対向する位置で搬送するための搬送手段である搬送ベルト１２を備えている。この搬送ベルト１２は、無端状ベルトであり、搬送ローラ１３とテンションローラ１４との間に掛け渡されている。
【００１８】
そして、搬送ベルト１２は、副走査モータ１６によってタイミングベルト１７及びタイミングプーリ１８を介して搬送ローラ１３が回転駆動されることによって、副走査方向に周回移動する。この搬送ベルト１２は、周回移動しながら後述する帯電ローラによって帯電（電荷付与）される。
【００１９】
さらに、キャリッジ３の主走査方向の一方側には搬送ベルト１２の側方に液体吐出ヘッド３４の維持回復を行う維持回復機構２０が配置されている。他方側には搬送ベルト１２の側方に液体吐出ヘッド３４から空吐出で吐出される液体を受ける空吐出受け２８がそれぞれ配置されている。
【００２０】
なお、空吐出とは、ヘッドの状態の維持ないし回復のために液体を吐出することであり、例えば装置の目的が画像の形成（印刷）であるときには印刷以外の目的（これを目的外吐出という。）で行う吐出の１つである。
【００２１】
維持回復機構２０は、例えば液体吐出ヘッド３４のノズル面（ノズルが形成された面）をキャッピングする吸引キャップ２１及び保湿キャップ２２と、ノズル面を払拭するワイパ部材２３、空吐出される液体を受ける空吐出受け２４などで構成されている。
【００２２】
また、キャリッジ３の主走査方向に沿って両側板間に、所定のパターンを形成したエンコーダスケール１２３を張り渡し、キャリッジ３にはエンコーダスケール１２３のパターンを読取る透過型フォトセンサからなるエンコーダセンサ１２４を設けている。これらのエンコーダスケール１２３とエンコーダセンサ１２４によってキャリッジ３の移動を検知するリニアエンコーダ（主走査エンコーダ）１２２を構成している。
【００２３】
また、搬送ローラ１３の軸にはコードホイール１２５を取り付け、このコードホイール１２５に形成したパターンを検出する透過型フォトセンサからなるエンコーダセンサ１２６を設けている。これらのコードホイール１２５とエンコーダセンサ１２６によって搬送ベルト１２の移動量及び移動位置を検出するロータリエンコーダ（副走査エンコーダ）を構成している。
【００２４】
このように構成した装置においては、用紙Ｐが帯電された搬送ベルト１２上に給紙されて吸着され、搬送ベルト１２の周回移動によって副走査方向に搬送される。
【００２５】
そこで、キャリッジ３を主走査方向に移動させながら画像信号に応じて液体吐出ヘッド３４を駆動することにより、停止している用紙Ｐにインク滴を吐出して１行分を記録する。そして、用紙Ｐを所定量搬送後、次の行の記録を行う。
【００２６】
記録終了信号又は用紙Ｐの後端が記録領域に到達した信号を受けることにより、記録動作を終了して、用紙Ｐを図示しない排紙トレイに排紙する。
【００２７】
次に、ヘッドタンクの一例について図４及び図５を参照して説明する。図４は同ヘッドタンクの模式的上面説明図、図５は同じく模式的正面説明図である。
【００２８】
ヘッドタンク３５は、タンクケース２０１の開口部を撓むことが可能な部材であるフィルム部材２０３で密閉して液体収容部（タンク部）２０２を形成している。なお、ここでは、両側に開口部を有して、仕切り部２０１ａで仕切られた２つの液体収容部２０２、２０２を形成するタンクケース２０１を使用し、２つのヘッドタンク３５を一体に形成している。
【００２９】
そして、タンクケース２０１の液体収容部２０２内に配置した弾性部材としてのバネ２０４の復元力によってフィルム部材２０３を常時外方へ勢いを付けている。タンクケース２０１のフィルム部材２０３にバネ２０４の復元力が作用していることで、タンクケース２０１の液体収容部２０２内の液体残量が減少することによって負圧が発生する。
【００３０】
また、タンクケース２０１の外側には、一端部側を軸２０６で揺れ動くことが可能なように支持されたフィラからなる変位部材（以下、単に「フィラ」とも表記することがある。）２０５を有している。
【００３１】
変位部材２０５は、スプリング２１０によってタンクケース２０１側に向けて勢いを付けられ、フィルム部材２０３に押し付けられている。これにより、液体残量に応じて変位するフィルム部材２０３の動きに連動して変位部材２０５が変位する。
【００３２】
この変位部材２０５をキャリッジ３に設ける第１検知手段（第１センサ、キャリッジ側検知手段）２５１や装置本体側に配置された第２検知手段（第２センサ、本体側検知手段）３０１などで検知することでヘッドタンク３５内の液体残量や負圧などを検知することができる。
【００３３】
また、タンクケース２０１の上部には、メインタンク５０から液体を供給するための供給口部２０９があり、液体供給チューブ５６に接続されている。また、タンクケース２０１の側部には、ヘッドタンク３５内を大気に開放する大気開放手段である大気開放機構２０７が設けられている。
【００３４】
この大気開放機構２０７は、液体収容部２０２内に通じる大気開放路２０７ａを開閉する弁体２０７ｂ及びこの弁体２０７ｂを閉弁状態に付勢するスプリング２０７ｃなどを備えている。
【００３５】
そして、装置本体側の大気開放ソレノイド３０２によって、弁体２０７ｂを押すことで開弁されて、ヘッドタンク３５内が大気開放状態（外気に通じた状態）になる。
【００３６】
また、ヘッドタンク３５内の液体液面を検出するための電極ピン２０８（２０８ａと２０８ｂ）が取り付けられている。液体は電導性を持っており、電極ピン２０８ａと２０８ｂの所まで液面が到達すると、電極ピン２０８ａと２０８ｂ間に電流が流れて両者の抵抗値が変化するため、液面高さが所定高さ以下になったことを検出することができる。
【００３７】
次に、この装置における液体供給排出系について図６を参照して説明する。図６は同供給排出系の模式的説明図である。
【００３８】
まず、メインタンク５０からヘッドタンク３５に対する液体供給は、送液手段である送液ポンプ２５２によって供給チューブ５６を介して行なわれる。なお、送液ポンプ２５２は、チューブポンプなどで構成した可逆型ポンプであり、メインタンク５０からヘッドタンク３５に液体を供給する送液動作と、ヘッドタンク３５からメインタンク５０に液体を戻す逆送動作とを行なえるようにしている。
【００３９】
また、維持回復機構２０は、前述したように液体吐出ヘッド３４のノズル面をキャッピングする吸引キャップ２１と、吸引キャップ２１に接続された吸引ポンプ８２を有している。吸引キャップ２１でキャッピングした状態で吸引ポンプ８２を駆動することで吸引チューブ８１を介してノズル３４ｎから液体を吸引することによってヘッドタンク３５内の液体を吸引することができる。なお、吸引された廃液は廃液タンク１００に排出される。
【００４０】
装置本体１０１側にはヘッドタンク３５の大気開放機構２０７を開閉する部材である大気開放ソレノイド３０２が配置され、この大気開放ソレノイド３０２を作動させることで大気開放機構２０７を開放することができる。
【００４１】
キャリッジ３には変位部材２０５を検知する第１検知手段である光学センサからなるキャリッジ側センサとしての第１センサ２５１が設けられている。また、装置本体１０１側には変位部材２０５を検知する光学センサからなる本体側センサとしての第２検知手段である第２センサ３０１が設けられている。これらの第１センサ２５１と第２センサ３０１の検知結果を使用してヘッドタンク３５に対する送液及び逆送動作を制御する。
【００４２】
なお、上述した送液ポンプ２５２、大気開放ソレノイド３０２、吸引ポンプ８２の駆動制御、本発明に係る送液動作などの制御は制御部５００によって行なわれる。
【００４３】
次に、この装置の制御部の概要について図７を参照して説明する。図７は同制御部のブロック説明図である。
【００４４】
制御部５００は、この装置全体の制御を司り、本発明における供給制御手段などの各種制御手段を兼ねるＣＰＵ５０１と、ＣＰＵ５０１が実行するプログラム、その他の固定データを格納するＲＯＭ５０２と、画像データ等を一時格納するＲＡＭ５０３を含む主制御部を備えている。
【００４５】
制御部５００は、装置の電源が遮断されている間もデータを保持するための書き換え可能な不揮発性メモリ５０４と、画像データに対する各種信号処理、並び替え等を行う画像処理やその他装置全体を制御するための入出力信号を処理するＡＳＩＣ５０５とを備えている。
【００４６】
制御部５００は、液体吐出ヘッド３４を駆動制御するためのデータ転送手段、駆動信号発生手段を含む印刷制御部５０８と、キャリッジ３側に設けた液体吐出ヘッド３４を駆動するためのヘッドドライバ（ドライバＩＣ）５０９とを備えている。
【００４７】
制御部５００は、キャリッジ３を移動走査する主走査モータ５、搬送ベルト１２を周回移動させる副走査モータ１６、維持回復機構２０の維持回復モータ５５６を駆動するためのモータ駆動部５１０を備えている。維持回復モータ５５６は、吸引ポンプ８２の駆動、キャップ２１、２２、ワイパ部材２３の昇降機構の駆動を行う。
【００４８】
制御部５００は、帯電ローラ１５にＡＣバイアスを供給するＡＣバイアス供給部５１１と、ヘッドタンク３５の大気開放機構２０７を開閉する装置本体１０１側に設けられた大気開放ソレノイド３０２、送液ポンプ２５２を駆動する供給系駆動部５１２を備えている。
【００４９】
制御部５００には、この装置に必要な情報の入力及び表示を行うための操作パネル５１４が接続されている。
【００５０】
制御部５００は、ホスト側とのデータ、信号の送受を行うためのＩ／Ｆ５０６を持っていて、パーソナルコンピュータ等の情報処理装置などのホスト６００側から、ケーブル或いはネットワークを介してＩ／Ｆ５０６で受信する。
【００５１】
そして、制御部５００のＣＰＵ５０１は、Ｉ／Ｆ５０６に含まれる受信バッファ内の印刷データを読み出して解析し、ＡＳＩＣ５０５にて必要な画像処理、データの並び替え処理等を行い、この画像データを印刷制御部５０８からヘッドドライバ５０９に転送する。なお、画像出力するためのドットパターンデータの生成はホスト６００側のプリンタドライバ６０１で行っている。
【００５２】
印刷制御部５０８は、上述した画像データをシリアルデータで転送するとともに、この画像データの転送及び転送の確定などに必要な転送クロックやラッチ信号、制御信号などをヘッドドライバ５０９に出力する。また、印刷制御部５０８は、ＲＯＭに格納されている駆動パルスのパターンデータをＤ／Ａ変換するＤ／Ａ変換器及び電圧増幅器、電流増幅器等で構成される駆動信号生成部を含んでいる。そして、駆動信号生成部から１の駆動パルス或いは複数の駆動パルスで構成される駆動信号をヘッドドライバ５０９に対して出力する。
【００５３】
ヘッドドライバ５０９は、シリアルに入力される液体吐出ヘッド３４の１行分に相当する画像データに基づいて印刷制御部５０８から与えられる駆動信号を構成する駆動パルスを選択的に液体吐出ヘッド３４の液体を吐出させるエネルギーを発生する駆動素子（例えば圧電素子）に対して印加することで液体吐出ヘッド３４を駆動する。このとき、駆動信号を構成する駆動パルスを選択することによって、例えば、大滴、中滴、小滴など、大きさの異なるドットを打ち分けることができる。
【００５４】
Ｉ／Ｏ部５１３は、装置に装着されている各種のセンサ群５１５からの情報を取得し、装置の制御に必要な情報を抽出し、印刷制御部５０８やモータ駆動部５１０、ＡＣバイアス供給部５１１の制御、ヘッドタンク３５に対する送液などに使用する。
【００５５】
センサ群５１５は、前述した第１センサ２５１、第２センサ３０１、電極ピン２０８ａ、２０８ｂが含まれる。また、センサ群５１５には、用紙の位置を検出するための光学センサや、機内の温度、湿度を監視するためのサーミスタ（環境温度センサ、環境湿度センサ）、帯電ベルトの電圧を監視するセンサ、カバーの開閉を検出するためのインターロックスイッチなどが含まれる。Ｉ／Ｏ部５１３は様々のセンサ情報を処理することができる。
【００５６】
次に、走査中の送液動作を行うための差分供給量の検出動作の第１例について図８を参照して説明する。図８は同説明に供する平面説明図である。
【００５７】
前述したように、ヘッドタンク３５内の液体残量に応じて変位する変位部材２０５と、変位部材２０５を検知するキャリッジ３上に固定された第１センサ２５１と、装置本体１０１側に固定された第２センサ３０１とを有している。
【００５８】
そこで、この例では、図８に示すように、第２センサ３０１による充填満タン位置でのキャリッジ３の位置（キャリッジ位置：リニアエンコーダ１２２によって得られる。）４０１と、第１センサ２５１で変位部材２０５を検知した位置でのキャリッジ３の位置４０２との差分を検出して、これを差分供給量として記憶保持する。
【００５９】
つまり、装置本体１０１側の第２センサ３０１が変位部材２０５を検知する位置を第２位置とし、この第２位置を充填満タン位置とする。また、キャリッジ３側の第１センサ２５１が変位部材２０５を検知する位置を第１位置とし、この第１位置は第２位置よりもヘッドタンク３５内の液体残量が少ない位置とする。そして、第１位置と第２位置との差分に相当する量（液体量）を差分供給量として記憶保持する。なお、供給量は送液ポンプ２５２の単位時間当たりの送液量×駆動時間で得られるので、差分供給量は、液体量そのものに代えて、送液ポンプ２５２の駆動時間で記憶保持することもできる。
【００６０】
そして、キャリッジ３の走査中は、ヘッドタンク３５の変位部材２０５が、液体残量が減少する方向に変位して第１センサ２５１で検知されたときから所定量の液体が消費されたときに、メインタンク５０からヘッドタンク３５への送液を開始する。
【００６１】
この送液で液体残量が増加する方向に変位部材２０５が変位して第１センサ２５１で検知されるので、第１センサ２５１で変位部材２０５を検知した後、記憶保持している差分供給量相当の送液を行うことで、変位部材２０５が充填満タン位置になるまでヘッドタンク３５に送液を行うことができる。
【００６２】
次に、走査中の送液動作を行うための差分供給量の検出動作の第２例について図９を参照して説明する。図９は同説明に供する変位部材２０５の各位置の説明図である。
【００６３】
この例では、第２センサ３０１で検知する第２位置を大気開放位置Ｆとし、大気開放位置Ｆから所定量のインクを逆引きした位置を充填満タン位置Ｇとし、第１センサ２５１で検知する位置を第１位置Ｈとする。なお、大気開放位置Ｆは、大気開放機構２０７によって液体収容部２０２を大気に開放したときの変位部材２０５の位置である。
【００６４】
そして、第１位置Ｈから差分供給量Ｂ分の送液を行ったときに変位部材２０５が充填満タン位置Ｇになるようする。
【００６５】
ヘッドタンク３５に対する送液は、例えば、変位部材２０５がヘッドタンク２５内の液体残量が減少する方向に変位するときに第１センサ２５１に検知されたときから液体消費量を計測する。そして、液体消費量が所定液体消費量Ｗになった位置を供給開始位置Ｉとして、送液ポンプ２５２を駆動して送液を開始する。
【００６６】
そして、変位部材２０５がヘッドタンク３５内の液体残量が増加する方向に変位するときに第１センサ２５１に検知されたときを基準として、差分供給量Ｂの供給を行ったときに供給を停止する。
【００６７】
このようにしても、キャリッジ走査中に充填満タン位置まで送液することができる。
【００６８】
次に、制御部による差分供給量の算出（検出）処理について図１０のフロー図を参照して説明する。
【００６９】
まず、ヘッドタンク３５を大気開放状態にして液体を充填する。このときには、電極ピン２０８が液面を検知したときに充填完了とする。
【００７０】
この状態で、キャリッジ３を移動させて、第２センサ３０１で変位部材２０５（以下、図中では「フィラ」と表記する。）を検知する。これにより、ヘッドタンク３５の変位部材２０５は大気開放位置になっている。
【００７１】
そして、変位部材２０５が大気開放位置にある状態から送液ポンプ２５２の逆転動作にて、第１センサ２５１が変位部材２０５を検知するまで液体をメインタンク５０に逆送してから逆転動作を停止する。
【００７２】
次いで、第２センサ３０１が変位部材２０５を検知する位置までキャリッジ３の移動を開始し、リニアエンコーダ１２２によるカウントを開始して、第２センサ３０１が変位部材２０５を検知したときにカウントを停止する。
【００７３】
これにより、大気開放位置（第２位置）と第１センサ２５１が変位部材２０５を検知する第１位置との間の変位部材２０５の変位量（差分）が検出される。この差分から予め定めた所定変位量を減じた値（差分変位量）を得て、この差分変位量に相当する液体量を差分供給量（差分送液量）として記憶保持する。
【００７４】
また、ここでは、大気開放位置を第２位置としているが、上述したように、充填満タン位置そのものを第２位置として、第２位置と第１位置との間の変位量に相当する供給量を差分供給として記憶するようにすることもできる。これは、充填満タン位置の決定の仕方によるものである。
【００７５】
次に、印刷動作中の送液制御（印字中充填処理）について図１１のフロー図を参照して説明する。
【００７６】
印字動作中は、充填満タン状態から液体が消費されることで、変位部材２０５はヘッドタンク３５の液体残量が減少する方向に変位するので、第１センサ２５１が変位部材２０５を検知したか否かを判別する。
【００７７】
そして、ヘッドタンク３５の液体残量が減少する方向に変位部材２０５が変位して第１センサ２５１が変位部材２０５を検知したときには、供給開始位置決定処理をする。
【００７８】
この供給開始位置決定処理では、印刷する画像データからキャリッジ３の主走査位置と画像データを印刷するために液体吐出ヘッド３４から吐出して消費される液体消費量との関係から、液体吐出ヘッド３４から吐出して消費される液体消費量が所定量Ｗになると予測されるキャリッジ３の主走査位置（この位置を「キャリッジ供給開始位置」という。）を決定する。
【００７９】
その後、キャリッジ３が決定されたキャリッジ供給開始位置になったか否かを判別する。
【００８０】
そして、キャリッジ３がキャリッジ供給開始位置になったときには、キャリッジ３の走査幅（走査距離）を拡大する処理を行い、ヘッドタンク３５に対して送液を行っていないときの走査幅よりもヘッドタンク３５に対して送液を行うときの走査幅を広く（走査距離を長く）する。
【００８１】
その後、送液ポンプ２５２を正転駆動してメインタンク５０からヘッドタンク３５への送液（供給）を開始し、第１センサ２５１が、液体残量が増加する方向に変位する変位部材２０５を検知したか否かを判別する。
【００８２】
そして、第１センサ２５１が変位部材２０５を検知したときには、差分供給量の送液を行った後、送液ポンプ２５２の駆動を停止する。
【００８３】
そして、キャリッジ３の走査幅を元に戻し、印字を継続する。
【００８４】
このように、本実施形態では、キャリッジ３の走査中にヘッドタンク３５に送液するときには、ヘッドタンク３５に送液しないときよりも走査幅を長くする。
【００８５】
なお、本実施形態では、印刷する画像データに基づいて第１センサ２５１が変位部材２０５を検知してからの液体消費量が所定量Ｗになるキャリッジ３の位置を決定して、印字中の送液を開始するようにしているが、これに限られない。
【００８６】
例えば、第１センサ２５１が変位部材２０５を検知した後の液体消費量を算出（計測）し、液体消費量が所定量Ｗ以上になったときに、送液を開始することもできる。
【００８７】
ここでの液体消費量の算出は、例えば画像形成のために吐出された滴数や印字動作中の空吐出動作で吐出された滴数をカウントし、そのカウント値に当該滴の滴量を乗じることで計算上得ることができる。これを、「ソフトカウント」といい、ソフトカウントで液体消費量計測手段を構成する。また、液体吐出ヘッド３４から液体を吸引するクリーニング動作を行なったときには、当該吸引による液体消費量（吸引量）は予め定められているので、当該吸引量を加算すればよい。
【００８８】
次に、キャリッジ３の走査幅の変更について図１２ないし図１４も参照して説明する。図１２は同説明に供する平面説明図、図１３は同じく正面説明図、図１４は具体的な走査幅の変更過程の一例の説明図である。
【００８９】
図１２に示すように、例えば主走査方向の幅Ｌｐの媒体ＰＡに印字を行っているとき、ヘッドタンク３５に対する送液を行っていない非供給時には、キャリッジ３の最大走査幅は、画像サイズ（主走査方向の幅）にキャリッジ３の幅分を加算した幅となり、例えば図１２の幅Ｌｓとなる。なお、通常、印刷時の走査幅は画像サイズに応じて変動し、画像サイズが小さければ小さいほど通常印刷時の走査幅は小さくなる制御を行っている。
【００９０】
ここで、上述したように変位部材２０５を第１センサ２５１で検知して印字中（キャリッジ走査中）の送液動作を行う場合、キャリッジ３の加減速領域においては変位部材２０５のばたつきが発生して正確な送液制御ができなくなるおそれがある。したがって、印字中の送液動作はキャリッジ３の等速領域で行うことが好ましい。
【００９１】
しかしながら、媒体Ｐの幅が狭いときにはキャリッジ３の走査幅も短くなり、キャリッジ３の走査中の等速領域も狭くなるので、送液によって変位する変位部材２０５を正確に検知ができなくなることがある。
【００９２】
そこで、本実施形態では、キャリッジ３の走査中にヘッドタンク３５に対して送液を行うときには、キャリッジ３の走査幅を、送液を行っていない通常の印刷時の走査幅よりも長く（広く）する制御を行っている。
【００９３】
このようにキャリッジ３の走査幅を通常印刷時の走査幅よりも広く走査することで、キャリッジ３の等速領域が広くなり、変位部材２０５を正確に検知できるようになるので、送液ポンプ２５２によるヘッドタンク３５への送液を安定して実施することができる。
【００９４】
つまり、ヘッドタンク３５の液体残量が多く、ヘッドタンク３５への送液を行っていないときには、図１３（ａ）に示すように走査幅を短くする。一方、ヘッドタンク３５の液体残量が減少してヘッドタンク３５への送液を行うときには、図１３（ａ）に示すように走査幅を長くし、キャリッジ３の等速領域を確保する。
【００９５】
具体的には、キャリッジ３の走査中に供給開始位置になったか否かを判別して、供給開始位置になったときには、次のキャリッジ走査（スキャン）のタイミングで走査幅を長くするように変更する。
【００９６】
例えば、写真媒体（ＫＧサイズ：幅１０２ｍｍ）に印刷を行う場合、キャリッジ３の走査幅が短いため、送液（供給）が必要なタイミングで、図１２のＡ４サイズ幅（２１０ｍｍ）の走査幅Ｌ４以上まで走査幅を拡大した状態で送液を実施する。なお、液体吐出ヘッド３４からの一定時間当りの吐出量に対し、送液量が不足する場合には、走査幅を図１２の装置最大幅Ｌｍａｘまで拡大することで、等速領域における供給量（送液量）を増加させることができる。
【００９７】
また、送液を行なってヘッドタンク３５内が満タンになった後は、キャリッジ３の走査幅を通常印刷時の走査幅に戻している。具体的には、キャリッジ走査中に満タンになったか否かを判定し、満タンになった場合には、次のキャリッジ走査のタイミングで走査幅を元の媒体に合わせた走査幅に変更する（元の走査幅に戻す）。
【００９８】
これにより、例えば、図１４に示すように、印字開始（非供給時）には画像サイズにキャリッジ幅分を加算した走査幅でキャリッジ３を走査し、途中で、送液が必要になったときには、例えばＡ４サイズにキャリッジ幅分を加算して走査幅を長く変更する。
【００９９】
そして、送液が終了すれば、画像サイズにキャリッジ幅分を加算した走査幅に戻し、再度、送液が必要になったときには、例えばＡ４サイズにキャリッジ幅分を加算して走査幅を長く変更する。そして、送液が終了すれば、画像サイズにキャリッジ幅分を加算した走査幅に戻して印字を継続し、最終的に印字を終了する。
【０１００】
なお、拡大する（長くする）走査幅は、印刷に使用する液体吐出ヘッド３４からの吐出量や送液を行う送液ポンプ２５２の流量に応じて、キャリッジ３の最大走査幅Ｌｍａｘ以内に設定すればよい。
【０１０１】
また、ページ間などで印刷を実施していない時間があるときには、その期間中に、送液を実施することで走査幅を変更する回数を低減できる。この場合には、第１センサ２５１で変位部材２０５を検知してから供給を開始するまでの液体消費量（所定液体消費量）に余裕を持たせて、所定液体消費量を消費しても当該ページの印刷を行うに十分な液体残量となるように、所定液体消費量Ｗを所定すればよい。
【０１０２】
また、図１１の処理においては、媒体のサイズに関係なく、つまり、通常印刷動作における走査幅に関係なく、常に走査幅の拡大が行われるが、媒体のサイズを判別して、所定サイズ以下のときにのみ走査幅の拡大を行うようにすることもできる。
【０１０３】
次に、本発明の第２実施形態における印刷動作中の送液制御（印字中充填制御）について図１５のフロー図を参照して説明する。
【０１０４】
なお、装置構成は前記第１実施形態と同様である。また、ここでは、説明を簡単にするため、ヘッドタンク３５を２つとし、一方のヘッドタンク３５に関わる部分を「１色目」、他方のヘッドタンク３５に関わる部分を「２色目」と表記して区別する。
【０１０５】
まず、１色目の第１センサ２５１が変位部材２０５を検知したか否かを判別する。そして、前記第１実施形態と同様にして、第１センサ２５１が変位部材２０５を検知したときには、供給開始位置決定処理をし、キャリッジ３の位置が供給開始位置決定処理で決定したキャリッジ供給開始位置になったか否かを判別する。
【０１０６】
そして、キャリッジ３がキャリッジ供給開始位置になったときには、２色目の第１センサ２５１が変位部材２０５を検知済か否かを判別する。つまり、２色目のヘッドタンク３５について、変位部材２０５が第１センサ２５１による第１位置よりも液体残量が少ない位置にある状態であるか否かを判別する。
【０１０７】
ここで、２色目の第１センサ２５１が変位部材２０５を検知済でなければ、１色目の送液ポンプ２５２を正転駆動して、１色目のヘッドタンク３５に対する送液を開始する。
【０１０８】
そして、１色目の第１センサ２５１が変位部材２０５を検知したか否かを判別し、１色目の第１センサ２５１が変位部材２０５を検知したときから１色目のヘッドタンク３５に対して差分供給量の送液を行い、送液ポンプ２５２を停止する。
【０１０９】
一方、２色目の第１センサ２５１が変位部材２０５を検知済であれば、１色目及び２色目の各送液ポンプ２５２を正転駆動して、１色目のヘッドタンク３５及び２色目のヘッドタンク３５に対する送液を開始する。
【０１１０】
そして、１色目の第１センサ２５１が変位部材２０５を検知したか否かを判別し、１色目の第１センサ２５１が変位部材２０５を検知したときから１色目のヘッドタンク３５に対して差分供給量の送液を行う。
【０１１１】
その後、２色目の第１センサ２５１が変位部材２０５を検知したか否かを判別し、２色目の第１センサ２５１が変位部材２０５を検知したときから２色目のヘッドタンク３５に対して差分供給量の送液を行った後、送液ポンプ２５２を停止する。
【０１１２】
なお、本実施形態でも、図示していないが、前述した第１実施形態と同様に、送液を行うときには、送液を行わないときよりもキャリッジ３の走査幅を長くする処理、送液終了後に走査幅を元に戻す処理を行っている。
【０１１３】
このように、１つのヘッドタンクについて印字中の送液動作を行う状態になったときには、第１センサ２５１で変位部材２０５が検知されて供給開始位置決定処理（液体消費量の算出）を行っている他のヘッドタンク３５に対しても繰り上げて印字中の送液動作を行う。
【０１１４】
すなわち、印字中の送液を行うためにキャリッジ３の走査幅を長くして走査すると、送液する回数が増加するほどキャリッジ３の走査幅を長くする回数が増加し、印刷速度の低下につながる。
【０１１５】
そこで、一のヘッドタンクについて印字中の送液動作を行うときには、液体消費量が減少している他のヘッドタンクについても併せて印字中の送液動作を行う。
【０１１６】
これにより、ヘッドタンクごとに印字中の送液動作を行う場合に比べて、キャリッジ３の走査幅を長くする回数が減少し、印刷速度の低下を抑制することができる。
【０１１７】
なお、この場合、送液を停止するタイミングは、それぞれの色のヘッドタンク３５が満タンになった（差分供給量を供給した）タイミングである。送液回数が増加し、送液ポンプ２５２の耐久性能によっては、同じタイミングで供給する／しないを切り替えられる仕組みとし、同じタイミングで供給しないを選択すれば、同じ送液ポンプ２５２を駆動する回数は減少する。
【０１１８】
なお、本実施形態では２つのヘッドタンクで説明しているが、３つ以上のヘッドタンクを使用する場合でも同様に実施することができる。
【０１１９】
次に、本発明の第３実施形態における印刷動作中の送液制御（印字中充填制御）について図１６のフロー図を参照して説明する。
【０１２０】
なお、装置構成は前記第１実施形態と同様である。
【０１２１】
まず、第１センサ２５１が変位部材２０５を検知したか否かを判別する。そして、前記第１実施形態と同様にして、第１センサ２５１が変位部材２０５を検知したときには、供給開始位置決定処理をし、キャリッジ３の位置が供給開始位置決定処理で決定したキャリッジ供給開始位置になったか否かを判別する。
【０１２２】
ここで、キャリッジ３が供給開始位置になったときには、空吐出動作を行う空吐出タイミングになったか否かを判別する。
【０１２３】
そして、空吐出タイミングになったときには、キャリッジ３を空吐出位置（空吐出液を受ける手段である空吐出受け２８又は空吐出受け２４若しくは吸引キャップ２１に対向する位置）に移動して空吐出動作を実施する。このとき、空吐出位置は印字領域よりも外側に位置しているのでキャリッジ３の走査幅が拡大される。
【０１２４】
その後、送液ポンプ２５２を正転駆動して、ヘッドタンク３５に対する送液を開始し、第１センサ２５１が変位部材２０５を検知したか否かを判別し、第１センサ２５１が変位部材２０５を検知したときからヘッドタンク３５に対して差分供給量の送液を行い、送液ポンプ２５２を停止する。
【０１２５】
そして、印字を継続する。このとき、キャリッジ３は空吐出位置から媒体Ｐに対して印字を行う位置に移動するので、キャリッジ３の走査幅は元に戻る。
【０１２６】
つまり、キャリッジ３の走査幅を拡大すると印刷速度の低下に繋がるため、印刷中に液体吐出ヘッド３４の維持回復のために定期的に実施する空吐出動作のタイミングに合わせて、キャリッジ走査中の送液動作を行う。これにより、印刷速度の低下を抑制できる。
【０１２７】
定期的な空吐出動作は、空吐出受け２８又は空吐出受け２４若しくは吸引キャップ２１に対して空吐出用の液体を吐出する。定期的な空吐出動作では、液体吐出ヘッド３４内のすべてのノズルで実施し、数十秒に１回の周期で実施される。空吐出動作を実施する周期は。環境温湿度や印刷モード選択による画像解像度等によって変更される。
【０１２８】
１回の空吐出実施時間内に送液が完了しなかった（差分供給量を供給できなかった）場合には、次のキャリッジ走査幅を通常印刷時の走査幅より広くし、ヘッドタンク３５が満タンになるまで送液を行って、差分供給量の供給が終了した後、キャリッジ３の走査幅を元に戻す。
【０１２９】
次に、本発明の第４実施形態における液体を吐出する装置について図１７及び図１８も参照して説明する。図１７は同装置の外観斜視説明図、図１８は同じく側面模式的説明図である。なお、前記第１実施形態の構成に対応する部分について同じ符号を付して説明を簡略にする。
【０１３０】
この装置は、シリアル型画像形成装置であり、装置本体７０１と、装置本体７０１の下側に配置した給紙装置７０２とを備えている。
【０１３１】
装置本体７０１の内部には、両側板にガイド部材であるガイド部材１及びガイドステー２が掛け渡されている。そして、これらのガイド部材１及びガイドステー２にキャリッジ３が図１６の矢印Ａ方向（主走査方向）に移動可能に保持されている。
【０１３２】
キャリッジ３は、主走査モータ５によって、駆動プーリ６、従動プーリ７及びタイミングベルト８を介して主走査方向に往復移動される。
【０１３３】
キャリッジ３には、液体吐出ヘッド３４及びヘッドタンク３５を含む所要数の液体吐出ユニット４が搭載され、所要の色の液体を吐出する。液体吐出ユニット４のヘッドタンク３５には、メインタンク５０から供給チューブ５６を介して各色の液体が供給される。
【０１３４】
一方、キャリッジ３の主走査領域のうち、記録領域（印字領域）では、給紙装置７０２からロール状媒体（以下、「ロール紙」という。）Ｒが給送され、搬送手段７２１によってキャリッジ３の主走査方向と直交する方向（副走査方向：矢印Ｂ方向）に間欠的に搬送される。
【０１３５】
搬送手段７２１は、給紙装置７０２から給紙されるロール紙Ｒを搬送する回転体（回転部材）である搬送ローラ７２３及び搬送ローラ７２３に対向配置した加圧ローラ７２４を有している。そして、複数の吸引穴が形成された搬送ガイド部材７２５と、搬送ガイド部材７２５の吸引穴から吸引を行う吸引手段としての吸引ファン７２６を有している。
【０１３６】
この搬送手段７２１の下流側には、液体吐出ヘッド３４で画像が形成されたロール紙Ｒを所定の長さで切断する切断手段としてのカッタ７２７が配置されている。
【０１３７】
このカッタ７２７は、例えばワイヤ或いはタイミングベルトに取り付けられ、ワイヤ或いはタイミングベルトを主走査方向Ａに移動することで、カッタ７２７でロール紙Ｒを所定の長さに切断する。
【０１３８】
さらに、キャリッジ３の主走査方向の一方側には搬送ガイド部材７２５の側方に液体吐出ヘッド３４の維持回復を行う維持回復機構７２０が配置されている。
【０１３９】
給紙装置７０２は、スプール軸受け台８１１を有している。スプール軸受け台８１１内部にはロール体８１２からロール紙Ｒを繰り出し、ロール紙Ｒを巻き戻す繰り出し機構が設けられている。
【０１４０】
ロール体８１２は、芯部材である管８１４に長尺のロール状媒体であるロール紙Ｒをロール状に巻き付けたものである。なお、ロール体は管８１４及びロール紙Ｒを合わせた部材の総称とする。
【０１４１】
そして、スプール軸受け台８１１に装着したロール体８１２を回転させて、ロール紙Ｒをガイド部材８３０に沿って下流側に送り出す。
【０１４２】
スプール軸受け台８１１の送り出し方向下流側には、ロール体８１２から送り出されたロール紙Ｒを湾曲させて上方に給送する搬送ローラ対８３１が配置されている。また、スプール軸受け台８１１と搬送ローラ対８３１の間には、ロール紙１２０の下面を案内するガイド部材８３０が配置されている。
【０１４３】
搬送ローラ対８３１を回転駆動することで、ロール体８１２から繰り出されるロール紙Ｒは、搬送ローラ対８３１で搬送され、搬送ローラ対８３１を経て、搬送手段７２１の搬送ローラ７２３と加圧ローラ７２４との間に送り込まれる。
【０１４４】
このように構成した装置においては、キャリッジ３を主走査方向に移動し、給紙装置７０２から給送されるロール紙Ｒを、搬送手段７２１によって間欠的に送りながら、液体吐出ヘッド３４を画像情報（印字情報）に応じて駆動して液体を吐出させることによって、ロール紙Ｒ上に所要の画像が形成される。
【０１４５】
そして、画像形成後のロール紙Ｒは、カッタ７２７で所定の長さにカットされ、装置本体７０１の正面側に配置された図示しない排紙トレイへ排出される。
【０１４６】
次に、本実施形態における送液制御について図１９のフロー図を参照して説明する。
【０１４７】
まず、本実施形態では、書き込みスキャン毎の液体消費量をカウントする液体消費量カウント手段を備えている。液体消費量カウント手段は、例えば、ノズルからの液体吐出量（吐出回数）をカウントする、或いは、スキャンデータの画像データの画素パターンをカウントし、液体吐出量を検出する画素パターンカウント手段などが使用できる。
【０１４８】
また、本実施形態では、画像データと液体消費量カウント手段などの情報から印刷終了までに要する時間を算出する印刷完了カウント手段を備える。
【０１４９】
また、ヘッドタンク３５の変位部材２０５を検知する構成については、前記第１実施形態と同様として説明する。
【０１５０】
そこで、図１９を参照して、第１センサ２５１が変位部材２０５を検知したか否かを判別する。そして、前記第１実施形態と同様にして、第１センサ２５１が変位部材２０５を検知したときには、供給開始位置決定処理をし、キャリッジ３の位置が供給開始位置決定処理で決定したキャリッジ供給開始位置になったか否かを判別する。
【０１５１】
そして、キャリッジ３の位置がキャリッジ供給開始位置になったときには、印刷終了までに要する時間が乾燥時間以下であるか否かを判別する。乾燥時間は、ロール紙Ｒを排出する排出処理に要する時間であり、ロール紙Ｒに着弾した液体が乾燥するまで排出を待つ予め定めた乾燥待ち時間である。
【０１５２】
ここで、印刷終了までに要する時間が乾燥時間以下でないとき、つまり、印刷終了までに要する時間が乾燥時間を超えるときには、前記第１実施形態と同様に、キャリッジ３の走査幅の拡大を行って印字中の送液（供給）を実施したのち、キャリッジ３の走査幅を元に戻す処理をして印字を継続する。
【０１５３】
これに対し、印刷終了までに要する時間が乾燥時間以下であるときには、キャリッジ３の走査幅を拡大する制御行わないで、送液（供給）を実施する。液体供給の実施中に画像形成が完了し、その後の液体乾燥待ち時間の経過でロール紙Ｒを排出することで、走査幅拡大に伴う印刷速度の低下を抑制することができる。
【０１５４】
なお、液体乾燥待ち時間（乾燥時間）の設定に当たっては媒体のサイズや印刷モード、温湿度条件を考慮して複数の閾値を変動させるようにすることが好ましい。
【０１５５】
次に、本発明の第５実施形態における送液制御について図２０のフロー図を参照して説明する。
【０１５６】
ここでも、第１センサ２５１が変位部材２０５を検知したか否かを判別する。そして、前記第１実施形態と同様にして、第１センサ２５１が変位部材２０５を検知したときには、供給開始位置決定処理をし、キャリッジ３の位置が供給開始位置決定処理で決定したキャリッジ供給開始位置になったか否かを判別する。
【０１５７】
そして、キャリッジ３の位置がキャリッジ供給開始位置になったときには、印刷終了までに要する時間がカット時間以下であるか否かを判別する。カット時間は、ロール紙Ｒを排出する排出処理に要する時間であり、カッタ７２７によってロール紙Ｒをカットするときに要する時間である。
【０１５８】
ここで、印刷終了までに要する時間がカット時間以下でないとき、つまり、印刷終了までに要する時間がカット時間を超えるときには、前記第１実施形態と同様に、キャリッジ３の走査幅の拡大を行って印字中の送液（供給）を実施したのち、キャリッジ３の走査幅を元に戻す処理をして印字を継続する。
【０１５９】
これに対し、印刷終了までに要する時間がカット時間以下であるときには、キャリッジ３の走査幅を拡大する制御をしないで、送液（供給）を実施する。液体供給の実施中に画像形成が完了し、その後のカット時間の経過でロール紙Ｒ（カッタされたもの）を排出することで、走査幅拡大に伴う印刷速度の低下を抑制することができる。
【０１６０】
なお、カット時間については媒体の幅に応じて閾値を切り替えられるようにすることができる。
【０１６１】
上記各実施形態においては、キャリッジの走査中における送液制御では、予め検出して記憶保持している差分供給量に基づく送液量制御行っているが、固定値で制御することもできる。
【０１６２】
例えば、予め第１センサで変位部材を検知する位置を基準として液体残量が少なくなる方向における供給開始用液体量及び液体残量が多くなる方向における供給停止液体量を予め実験的に求めて固定値として記憶保持しておく。
【０１６３】
そして、第１センサが変位部材を検知してから液体残量が減少する方向での液体消費量が供給開始用液体量になったときに送液を開始し、変位部材が液体残量が増加する方向に変位して第１センサで検知されたときから供給停止液体量の送液を行って送液を停止する。この場合、固定値であるために、負圧が過大、あるいは、過少にならないようにマージンを持たせる必要があるものの、差分検出を行う必要がなくなる。
【０１６４】
このような構成でも変位部材の検知結果を使用して送液制御を行うために、変位部材のばたつきが少ない領域での送液を行うためにキャリッジの走査幅の拡大を行うことができる。
【０１６５】
本願において、「液体を吐出する装置」は、液体吐出ヘッド若しくは液体吐出ユニットを備え、液体吐出ヘッド若しくは液体吐出ユニットを駆動させて、液体を吐出させる装置の意味である。液体を吐出する装置には、液体が付着可能なもの（液体付着対象）に対して液体を吐出することが可能な装置、気中又は液中に向けて液体を吐出する装置が含まれる。
【０１６６】
この「液体を吐出する装置」は、液体吐出ヘッド若しくは液体吐出ユニットと、液体吐出動作を制御する制御手段と、液体付着対象の給送、搬送、排紙に係わる手段、その他、前処理装置、後処理装置と称される装置などを含むことができる。
【０１６７】
また、「液体を吐出する装置」には、記録装置、印刷装置、画像形成装置、液滴吐出装置、液体吐出装置、処理液塗布装置、立体造形装置、噴射造粒法で微粒子を製造する装置、プリンタ、マルチファンクションプリンタ（ＭＦＰ）、３Ｄプリンタなどと称される装置を含む。
【０１６８】
また、「液体を吐出する装置」は、吐出された液体によって文字、図形等の有意な画像が可視化されるものに限定されるものではない。例えば、それ自体意味を持たないパターン等を形成するもの、３次元像を造形するものも含まれる。
【０１６９】
上記「液体が付着するもの」とは液体が一時的にでも付着可能なものを意味する。「液体が付着する部材」の材質は、紙、糸、繊維、布帛、皮革、金属、プラスチック、ガラス、木材、セラミックスなど液体が一時的でも付着可能であればよい。
【０１７０】
また、「液体」は、インク、処理液、ＤＮＡ試料、レジスト、パターン材料、結着剤、造形液なども含まれる。
【０１７１】
また、「液体を吐出する装置」には、特に限定しない限り、液体吐出ヘッドを移動させるシリアル型装置、液体吐出ヘッドを移動させないライン型装置のいずれも含まれる。
【０１７２】
「液体吐出ユニット」とは、液体吐出ヘッドと別の機能部品や機構とを一体化したものであり、液体の吐出に関連する部品の集合体を意味する。例えば、「液体吐出ユニット」は、ヘッドタンク、キャリッジ、供給機構、維持機構、主走査移動機構の構成を任意に液体吐出ヘッドと組み合わせたものなどが含まれる。
【０１７３】
ここで、液体吐出ヘッドと別の機能部品／機構とが一体化しているとは、例えば、締結部材や接着若しくは熱カシメで固定、若しくはチューブ等で接続、若しくは互いに係合（一方が他方に対して摺動可能に係合しているものも含む）しているものを含む。また、液体吐出ヘッドと別の機能部品／機構とが直接、固定、接続、係合しているものに限らず、間に中間部材を介して固定、接続、係合しているものであっても良い。
【０１７４】
例えば、液体吐出ユニットとして、液体吐出ヘッドとヘッドタンクとが、締結部材や接着などで固定されて、液体吐出ヘッドとヘッドタンクとが一体化されているものを挙げることができる。また、液体吐出ヘッドとヘッドタンクとが、チューブなどで相互に接続されて、液体吐出ヘッドとヘッドタンクとが一体化されているものを挙げることができる。また、これらの液体吐出ユニットにヘッドタンクと液体吐出ヘッドとの間にフィルタを含むユニットを追加したものを挙げることができる。
【０１７５】
また、液体吐出ヘッドとキャリッジとが、締結部材や接着などで固定されて、液体吐出ヘッドとキャリッジとが一体化されているものを挙げることができる。また、液体吐出ヘッドとキャリッジとが、取り付ける取り付け部材を介して固定されて、液体吐出ヘッドとキャリッジとが一体化されているものを挙げることができる。
【０１７６】
また、液体吐出ヘッドを走査移動機構の一部を構成するガイド部材に摺動可能に係合（若しくは取り付けた）させて、液体吐出ヘッドと走査移動機構を一体化したものを挙げることができる。また、液体吐出ヘッドが取り付けられたキャリッジを走査移動機構の一部を構成するガイド部材に摺動可能に係合（若しくは取り付けた）させて、液体吐出ヘッドとキャリッジと主走査移動機構を一体化したものを挙げることができる。
【０１７７】
また、液体吐出ヘッドに、維持機構の一部であるキャップを締結部材等で固定させて、液体吐出ヘッドと維持機構とを一体化したものを挙げることができる。液体吐出ヘッドが取り付けられたキャリッジに、維持機構の一部であるキャップを締結部材等で固定させて、液体吐出ヘッドとキャリッジと維持機構とを一体化したものを挙げることができる。
【０１７８】
また、液体吐出ヘッドの外部から内部に液体を供給するためのチューブが、液体ヘッドに接続されて、液体吐出ヘッドと供給機構とを一体化したものを挙げることができる。また、チューブが接続された流路部品を液体吐出ヘッドに取り付けることで、流路部品を介して液体吐出ヘッドと供給機構とを一体化したものを挙げることができる。また、チューブが接続されたヘッドタンクを液体吐出ヘッドに取り付けることで、液体吐出ヘッドとヘッドタンクと供給機構とを一体化したものを挙げることができる。
【０１７９】
上記主走査移動機構は、液体吐出ヘッドを主走査方向に移動させるための機構である。例えば、主走査移動機構は、液体吐出ヘッド又はキャリッジを案内するガイド部材、これらに駆動源、キャリッジの移動機構を組み合わせて構成される。ガイド部材単体も主走査移動機構に含むものとする。
【０１８０】
供給機構は、液体吐出ヘッドの外部に貯留されている液体を液体吐出ヘッドに供給するための機構である。例えば、供給機構は、液体カートリッジを装着する装填部及びチューブで構成される。また、チューブ単体、装填部単体でも供給機構に含むものする。
【０１８１】
維持機構は、液体吐出ヘッドの性能の維持、回復を行うための機構である。例えば、維持機構は、キャップ、ワイパ部材、キャップに通じる吸引ポンプなどの吸引手段、空吐出受けのいずれか２以上を組み合わせたものである。
・維持機構が何を維持するのか説明するため、維持機構の機能を補足お願いします。
【０１８２】
さらに、「液体吐出ユニット」として、液体吐出ヘッドとキャリッジと主走査移動機構と維持機構と供給機構とを一体化したものを挙げることができる。
【０１８３】
また、「液体吐出ヘッド」は、使用する圧力発生手段が限定されるものではない。例えば、上記実施形態で説明したような圧電アクチュエータ（積層型圧電素子を使用するものでもよい。）以外にも、発熱抵抗体などの電気熱変換素子を用いるサーマルアクチュエータ、振動板と対向電極からなる静電アクチュエータなどを使用するものでもよい。
【０１８４】
また、本願の用語における、画像形成、記録、印字、印写、印刷、造形等はいずれも同義語とする。
【符号の説明】
【０１８５】
３  キャリッジ
４  液体吐出ユニット
２０  維持回復機構
２１  吸引キャップ
３４  液体吐出ヘッド
３５  ヘッドタンク
５０  メインタンク
２０５  変位部材
２５１  第１センサ
２５２  送液ポンプ
３０１  第２センサ
５００  制御部
６００  ホスト（データ処理装置）
６０１  プリンタドライバ
７２７  カッタ
Ｐ  媒体
Ｒ  ロール紙
【図１】
2017081020.tif 000003
【図２】
2017081020.tif 000004
【図３】
2017081020.tif 000005
【図４】
2017081020.tif 000006
【図５】
2017081020.tif 000007
【図６】
2017081020.tif 000008
【図７】
2017081020.tif 000009
【図８】
2017081020.tif 000010
【図９】
2017081020.tif 000011
【図１０】
2017081020.tif 000012
【図１１】
2017081020.tif 000013
【図１２】
2017081020.tif 000014
【図１３】
2017081020.tif 000015
【図１４】
2017081020.tif 000016
【図１５】
2017081020.tif 000017
【図１６】
2017081020.tif 000018
【図１７】
2017081020.tif 000019
【図１８】
2017081020.tif 000020
【図１９】
2017081020.tif 000021
【図２０】
2017081020.tif 000022